(57)【要約】【課題】  安全かつ迅速に壁つなぎを設置することができる壁つなぎ用先端治具およびその取付方法を提供することである。【解決手段】  壁つなぎ用先端治具１は、挿入棒２の一端部に雄ネジ部４が形成され、他端部の切り溝８には掛止片３が回転自在に設置され、該掛止片３の先端部側が後端部側よりも重く形成され、切り溝８には掛止片３の後端部側が掛止めされてその回転を阻止するストッパ１０が設けられて構成されている。【選択図】図１
2006161279.tif 000002
【特許請求の範囲】
【請求項１】
挿入棒の一端部に雄ネジ部が形成され、他端部の切り溝には掛止片が回転自在に設置され、該掛止片の先端部側が後端部側よりも重く形成され、切り溝には掛止片の後端部側が掛止めされてその回転を阻止するストッパが設けられたことを特徴とする壁つなぎ用先端治具。
【請求項２】
掛止片の一面側には緩衝材が設置されたことを特徴とする請求項１に記載の壁つなぎ用先端治具。
【請求項３】
雄ねじ部には目盛りが設けられたことを特徴とする請求項１または２に記載の壁つなぎ用先端治具。
【請求項４】
請求項１〜３の壁つなぎ用先端治具を、掛止片を水平にした状態で解体壁に穿孔した貫通孔に挿入した後、挿入棒を軸線を中心に回転させて掛止片を水平状態から垂直状態に回転させた後、挿入棒を引っ張って掛止片を解体壁の内面側に固定した後、挿入棒の雄ネジ部に袋ナットを取り付けることを特徴とする壁つなぎ用先端治具の取付方法。
【発明の詳細な説明】
【技術分野】
【０００１】
本発明は壁つなぎ用先端治具およびその取付方法に関するものである。
【背景技術】
【０００２】
建物の建て替えに伴う既存建物の解体工事における壁つなぎは、図６の（１）に示すような、かんざしタイプの壁つなぎ１６が多く使われている。しかし、このかんざしタイプの壁つなぎ１６が設置できないときは、同図の（２）に示すように、解体壁１７にアンカー１８を打ち込むアンカータイプの壁つなぎ１９が使われている。また、その他の壁つなぎとしては、例えば特開２００４−１００２４９号公報の発明が知られている。
【特許文献１】特開２００４−１００２４９号公報
【発明の開示】
【発明が解決しようとする課題】
【０００３】
しかし、上記のかんざしタイプの壁つなぎは、足場の最上段での取り付け作業となるため、足場の外部養生が不十分となってガラやほこりが飛散するという問題や、浮き上がり防止対策もするため、作業性が悪く手間もかかるという問題があった。
一方、アンカータイプの壁つなぎは、解体壁の強度に不安があるため、その確認が必要となり、壁つなぎの施工速度に左右される足場の組立が遅れて迅速な作業ができないという問題があった。
【０００４】
本発明は、上記のような問題に鑑みてなされたものであり、その目的は、安全かつ迅速に壁つなぎを設置することができる壁つなぎ用先端治具およびその取付方法を提供することである。
【課題を解決するための手段】
【０００５】
以上の課題を解決するための壁つなぎ用先端治具は、挿入棒の一端部に雄ネジ部が形成され、他端部の切り溝には掛止片が回転自在に設置され、該掛止片の先端部側が後端部側よりも重く形成され、切り溝には掛止片の後端部側が掛止めされてその回転を阻止するストッパが設けられたことを特徴とする。また掛止片の一面側には緩衝材が設置されたことを含む。また雄ねじ部には目盛りが設けられたことを含むものである。
【０００６】
また壁つなぎ用先端治具の取付方法は、挿入棒の一端部に雄ネジ部が形成され、他端部の切り溝には掛止片が回転自在に設置され、該掛止片の先端部側が後端部側よりも重く形成され、切り溝には掛止片の後端部側が掛止めされてその回転を阻止するストッパが設けられた壁つなぎ用先端治具を、掛止片を水平にした状態で解体壁に穿孔した貫通孔に挿入した後、挿入棒を軸線を中心に回転させて掛止片を水平状態から垂直状態に回転させた後、挿入棒を引っ張って掛止片を解体壁の内面側に固定した後、挿入棒の雄ネジ部に袋ナットを取り付けることを特徴とする。また掛止片の一面側には緩衝材が設置され、雄ねじ部には目盛りが設けらたことを含むものである。
【発明の効果】
【０００７】
壁つなぎ用先端治具が、挿入棒の一端部に雄ネジ部が形成され、他端部の切り溝には掛止片が回転自在に設置され、該掛止片の先端部側が後端部側よりも重く形成され、切り溝には掛止片の後端部側が掛止めされてその回転を阻止するストッパが設けられて構成されたことにより、解体壁への取り付け又は取り外しが簡単にでき、再利用もできる。また足場の外部養生をしなくても壁つなぎ用先端治具を先行作業で取り付けることができる。足場の外部養生が十分にできるので、ガラなどの飛散を防ぐことができる。また解体建物の解体壁全体を利用するため、解体躯体の強度に影響を受けないで壁つなぎ用先端治具を取り付ることができる。また壁つなぎの組立および解体を安全に行うことができる。
【発明を実施するための最良の形態】
【０００８】
以下、本発明の壁つなぎ用先端治具（以下先端治具という）およびその取付方法の実施の形態を図面に基づいて説明する。はじめに先端治具について説明し、その後に、この先端治具の設置方法について説明するが、各実施の形態において同じ構成は同じ符号を使用して説明し、異なった構成は異なった符号を付して説明する。
【０００９】
図１は先端治具１を示したものである。この先端治具１は解体壁に設置し、この解体壁に設置した先端治具１に壁つなぎを取り付けるものであり、壁つなぎの先端部に取り付けられる。
【００１０】
この先端治具１は円形で適宜長さの挿入棒２の先端部に設けた掛止片３と、後端部に設けた雄ネジ部４とから構成され、この雄ネジ部４には袋ナット５がねじ込まれ、これに壁つなぎの先端部がねじ込まれるようになっている。また雄ねじ部４には挿入棒２の貫通孔への挿入深さを示す目盛り６が設けられている。
【００１１】
また掛止片３は上面にゴムなどの緩衝材７が設けられ、切り溝８の支軸９に偏芯した状態で取り付けられている。これは支軸９を掛止片３の中心部ではなく、後部側へ僅かにずらした位置に取り付け、しかも先端部側を後端部側よりも幅広に形成して重くしたことにより、この重みで掛止片３が支軸９を中心に回転できるようにしたものであり、この回転を阻止するストッパ１０が切り溝８の後部上側に設けられている。
【００１２】
したがって、図１の（１）に示すように、ストッパ１０を上側にした場合は、このストッパ１０に後端部側が掛け止めされて掛止片３が水平になるが、同図の（２）に示すように、ストッパ１０が下側にくるように挿入棒２を回転（軸心を中心に）させると、掛止片３が先端部側の重みで回転して垂直になる。またこの状態からストッパ１０が上側にくるように挿入棒２を回転させると、掛止片３が先端部側の重みで回転して水平になる。
【００１３】
次に、この先端治具の設置方法を図２〜図５に基づいて説明する。まず、図２の（１）に示すように、建物の解体壁１１にドリル１２で貫通孔１３を穿孔する。そして、同図の（２）に示すように、この貫通孔１３に、掛止片３を水平にして先端治具１を挿入する。これは挿入棒２のストッパ１０を上側にすると、掛止片３が先端部側の重みで水平に回転して、後端部がストッパ１０に掛け止めされる。
【００１４】
そして、雄ネジ部の目盛り６で挿入棒２の貫通孔１３への挿入深さを確認しながら、掛止片３が貫通孔１３から抜け出た位置で、図３に示すように、ストッパ１０が下側にくるように挿入棒２を回転させると、掛止片３が先端部側の重みで回転して垂直になる。
【００１５】
そして、この状態で図４の（１）に示すように、挿入棒２を手前側に引っ張って掛止片３を解体壁１１の内面側に固定する。このとき緩衝材７で解体壁１１の内面側の不陸が解消されるので、掛止片３の固定が安定する。次に、同図の（２）に示すように、雄ネジ部４にワッシャ１４を介して袋ナット５をねじ込み、この袋ナット５に壁つなぎの先端部（図示せず）をねじ込むようにする。
【００１６】
また、図５は先端治具の取外方法を示したものである。まず、（１）に示すように、雄ネジ部４から袋ナット５を取り外した後、ストッパ１０が上側にくるように挿入棒２を回転させると、掛止片３が先端部側の重みで回転するとともに、後端部がストッパ１０で掛止されて水平になる。この状態で、（２）に示すように、先端治具１を手前側に引っ張ると貫通孔１３から引き抜けて、簡単に取り外しができ、かつ再利用することもできる。
【図面の簡単な説明】
【００１７】
【図１】先端治具であり、（１）は断面図、（２）は斜視図である。
【図２】（１）は解体壁に貫通孔を穿孔した断面図、（２）は貫通孔に先端治具を挿入した断面図である。
【図３】（１）はストッパが下側にくるように挿入棒を回転させた断面図、（２）は掛止片を垂直にした断面図である。
【図４】（１）は掛止片を解体壁の内側に固定した断面図、（２）は雄ねじ部に袋ナットをねじ込んだ断面図である。
【図５】（１）はストッパが上側にくるように挿入棒を回転させた断面図、（２）は掛止片を水平にした断面図である。
【図６】（１）および（２）は従来の壁つなぎを示す断面図である。
【符号の説明】
【００１８】
１  先端治具
２  挿入棒
３  掛止片
４  雄ネジ部
５  袋ナット
６  目盛り
７  緩衝材
８  切り溝
９  支軸
１０  ストッパ
１１、１７  解体壁
１２  ドリル
１３  貫通孔
１４  ワッシャ
１６、１９  壁つなぎ
１８  アンカー
【図１】
2006161279.tif 000003
【図２】
2006161279.tif 000004
【図３】
2006161279.tif 000005
【図４】
2006161279.tif 000006
【図５】
2006161279.tif 000007
【図６】
2006161279.tif 000008